(57)【要約】【課題】本発明は、建物の常時荷重安全性、耐風安全性、地震安全性を高めることができ、植栽した樹木の転倒、建物からの落下及び飛散を防止することができる建物の樹木固定構造を提供することを目的とする。【解決手段】本発明に係る建物の樹木固定構造の第一の構成は、建物１００の梁１に立設した柱脚２と、柱脚２の上に固定した格子枠３と、柱脚２又は格子枠３の上に固定した底板１２と、底板１２に支承されかつ底板１２の上の土壌７に埋設される樹木５の根鉢６を格子枠３に固定し得る結束手段８と、を有することを特徴とする。【選択図】図１
2008017722.tif 000002
【特許請求の範囲】
【請求項１】
建物の梁に立設した柱脚と、
該柱脚の上に固定した格子枠と、
前記柱脚又は前記格子枠の上に固定した底板と、
該底板に支承されかつ該底板の上の土壌に埋設される樹木の根鉢を前記格子枠に固定し得る結束手段と、を有することを特徴とする建物の樹木固定構造。
【請求項２】
前記結束手段は、第１の結束手段と、第２の結束手段と、を有し、
前記第１の結束手段は、前記根鉢に掛け渡して前記根鉢を前記格子枠に固定するベルトと、該ベルトを締めて前記根鉢を前記格子枠に緊結する緊結手段と、を有し、
前記第２の結束手段は、前記根鉢に掛け渡して前記根鉢を前記格子枠に固定するベルトと、前記緊結手段が破壊された後にも前記ベルトを締めて前記根鉢を前記格子枠に結束する長期耐久性に優れた結束部材と、からなることを特徴とする請求項１または２に記載の建物の樹木固定構造。
【請求項３】
前記緊結手段は、前記ベルトを巻き上げる回転軸と、前記回転軸の反転を防止する反転防止機構と、を有することを特徴とする請求項１に記載の建物の樹木固定構造。
【請求項４】
前記結束部材の耐用年数は、建物の構成部材の耐用年数と同程度であることを特徴とする請求項１〜３のいずれか１項に記載の建物の樹木固定構造。
【請求項５】
前記格子枠又は前記柱脚の上に周壁を固定して、前記根鉢や前記土壌などを収納する有底の箱体を設けたことを特徴とする請求項１〜４のいずれか１項に記載の建物の樹木固定構造。
【請求項６】
請求項１〜５のいずれかに記載の建物の樹木固定構造の構成部材の合計荷重を前記梁にかかる積載荷重とし、
地震力は前記積載荷重が地震層せん断力を生むものとし求め、
風圧力は、前記樹木の輪郭形状を球状とみなして求め、
前記積載荷重、前記地震力、前記風圧力に基づいて、請求項１〜５のいずれかに記載の建物の樹木固定構造の構造設計を行うことを特徴とする建物の樹木固定構造の構造設計方法。
【発明の詳細な説明】
【技術分野】
【０００１】
本発明は、樹木の荷重を建物の梁に伝達するようにした建物の樹木固定構造、およびその構造設計方法に関する。
【０００２】
より具体的には、建物の梁に立設した鉄骨に樹木を固定した建物の樹木固定構造、および樹木をモデル化して行う構造設計方法に関する。
【背景技術】
【０００３】
近年、建物の屋上またはバルコニーに草花や樹木を植えて緑化することにより、植栽のある自然景観を身近にすることが好まれている。この、いわゆる建物緑化は都市の温暖化を軽減する効果もあり広く奨励されている。
【０００４】
ところで、建物の屋上またはバルコニーには直射日光を遮るものがないことが多く、人が居続けて憩う環境としてはあまり良くない。
【０００５】
このため、建物の屋上またはバルコニーに樹木を植栽して日陰（木陰）を作ることにより、直射日光を遮り、かつ、床からの照り返しを軽減して、心地よい環境を作る考えがある。
【０００６】
しかし、植栽する土壌の深さは、建物の積載荷重の制約から、軽量土壌が使われる事が多く、樹木の根を押える力が弱い。また、樹木を植栽した初期には根鉢が球形であり、根が十分に繁茂していない。このため、一般的に風当たりが強く、地震のゆれの大きい建物の屋上やバルコニーでは、樹木が倒れ易い。
【０００７】
さらに、根入れの深さの確保を要する背丈が中程度以上の比較的高い樹木（いわゆる中木や高木）を植栽する際は、樹木や土壌などが建物に及ぼす全体的な積載荷重が増加することへの対策、および局所的な集中荷重を支承するための対策が必要である。
【０００８】
これに対し、特許文献１には、植栽する土壌の深さが制約される建物の樹木固定構造において、風や地震に抗して植栽樹木を永続的に自立させるために、植栽樹木の根鉢をベルトやベース機材で締結する方法が開示されている。
【０００９】
また、特許文献２には、植栽樹木の下に敷設した鋼製アングルと植栽樹木の中間部とをワイヤーで緊結する方法が開示されている。
【００１０】
また、特許文献３には、建物とは別体の大型プランターを建物の梁の真上に載置して、そのプランターに植栽する方法が開示されている。
【００１１】
【特許文献１】特開２０００−２３５７９号公報
【特許文献２】登録実用新案第３０２２８０１号公報
【特許文献３】実開平０６−０５８０５６号公報
【発明の開示】
【発明が解決しようとする課題】
【００１２】
しかしながら、上記特許文献１〜３に開示された方法では、植栽樹木、結束・固定機材または土壌などの重量物が建物の梁などの骨格に固定されず、且つ構造設計に反映されていない。そのため、載置された重量物が建物へ設計外の局部集中的な荷重を与え、たとえば、建物骨格の変形・ひずみにより建物が損傷するおそれがある。その結果、建物の常時荷重に対する安全性、地震や台風などに対する安全性などが懸念される。
【００１３】
また、特許文献１に開示された方法では、根鉢を固定する肩当て部材が土壌中でボルト固定されており、植栽樹木の成長に伴って肩当て部材の位置を定期的に再調整しなければ、根鉢の固定が不十分になったりする可能性があり、樹木の安全な固定状態を維持していく点（長期耐久性）に問題がある。
【００１４】
また、特許文献２に開示された方法では、植栽樹木の根鉢を固定していないため、風や地震などにより植栽樹木が倒れるおそれがある。
【００１５】
また、特許文献３に開示された方法では、建物に緊結されない大型プランターが風や地震などで横転し、場合によっては植栽樹木と一緒に建物から落下したり、近隣家屋に飛散する、などのおそれがある。
【００１６】
そこで本発明は、建物の常時荷重安全性、耐風安全性、地震安全性を高めることができ、植栽した樹木の転倒、建物からの落下及び飛散を防止することができる建物の樹木固定構造を提供することを目的とする。
【課題を解決するための手段】
【００１７】
（１）上記課題を解決するために本発明に係る建物の樹木固定構造の第一の構成は、建物の梁に立設した柱脚と、該柱脚の上に固定した格子枠と、前記柱脚又は前記格子枠の上に固定した底板と、該底板に支承されかつ該底板の上の土壌に埋設される樹木の根鉢を前記格子枠に固定し得る結束手段と、を有することを特徴とする。
【００１８】
（２）また、本発明に係る建物の樹木固定構造の第二の構成は、前記第一の構成の建物の樹木固定構造において、前記結束手段は、第１の結束手段と、第２の結束手段と、を有し、前記第１の結束手段は、前記根鉢に掛け渡して前記根鉢を前記格子枠に固定するベルトと、該ベルトを締めて前記根鉢を前記格子枠に緊結する緊結手段と、を有し、前記第２の結束手段は、前記根鉢に掛け渡して前記根鉢を前記格子枠に固定するベルトと、前記緊結手段が破壊された後にも前記ベルトを締めて前記根鉢を前記格子枠に結束する長期耐久性に優れた結束部材と、からなることを特徴とする。
【００１９】
（３）また、本発明に係る建物の樹木固定構造の第三の構成は、前記第一または第二の構成の建物の樹木固定構造において、前記緊結手段は、前記ベルトを巻き上げる回転軸と、前記回転軸の反転を防止する反転防止機構と、を有することを特徴とする。
【００２０】
ここで、上記（２）（３）に記載するベルトは、化学繊維などの材料で所定の破断強度が確保され、建物の構成部材の耐用年数と同程度の耐久性能が確保されたものを用いる。
【００２１】
また一般にベルトは、帯状の長尺ものであるが、本発明にいうベルトは、根鉢に掛け渡して前記根鉢を前記格子枠に固定することができればよく、帯状の長尺もの以外にも綱（ロープ）状の長尺ものなども含まれる。例えば鋼製ワイヤーなどである。この場合には、第１の結束手段の緊結手段、および第２の結束手段の結束部材は、そのような綱状の長尺ものに対応可能なものを使用する。
【００２２】
（４）また、本発明に係る建物の樹木固定構造の第四の構成は、前記第一〜第三のいずれかの構成の建物の樹木固定構造において、前記結束部材の耐用年数は、建物の構成部材の耐用年数と同程度であることを特徴とする。
【００２３】
（５）また、本発明に係る建物の樹木固定構造の第五の構成は、前記第一〜第四のいずれかの構成の建物の樹木固定構造において、前記格子枠又は前記柱脚の上に周壁を固定して、前記根鉢や前記土壌などを収納する有底の箱体を設けたことを特徴とする。
【００２４】
（６）また、本発明に係る建物の樹木固定構造の構造設計方法の構成は、前記第一〜第五のいずれかに記載の建物の樹木固定構造の構成部材の合計荷重を前記梁にかかる積載荷重とし、地震力は前記積載荷重が地震層せん断力を生むものとし求め、風圧力は、前記樹木の輪郭形状を球状とみなして求め、前記積載荷重、前記地震力、前記風圧力に基づいて、前記第一〜第五のいずれかに記載の建物の樹木固定構造の構造設計を行うことを特徴とする。
【発明の効果】
【００２５】
（１）前記第一の構成により、植栽した樹木の転倒、建物からの落下及び飛散を防止することができ、建物の常時荷重安全性、耐風安全性、地震安全性を高めることができる。
【００２６】
（２）また、前記第二の構成により、土中における腐食による請求項２に記載の緊結手段の破壊後も長期にわたって、植栽した樹木の転倒、建物からの落下及び飛散を回避できる。すなわち、植栽樹木の成長に伴って根鉢の固定が不十分になることを防止でき、樹木の安全な固定状態を維持していく長期耐久性を高めることができる。
【００２７】
（３）また、前記第三の構成により、簡単かつ強固に根鉢を固定することができ、建物が地震や台風などにあったとき植栽した樹木の転倒、建物からの落下または飛散をより確実に防止することができる。
【００２８】
（４）また、前記第四の構成により、建物の構成部材の耐用年数と同じ年月の間植栽した樹木の転倒、建物からの落下及び飛散を回避できる。
【００２９】
（５）また、前記第五の構成により、樹木の根部の平面的な横広がりを箱体内に限定できるため、樹木の根の占有面積を小さくすることができる。また、時間の経過とともに樹木が成長・繁茂すると、根部が箱体内部に密生して圧密状態となり箱体の側板に挟持されて根鉢が箱体内で回転したり移動することが防止され、樹木がより転倒し難い建物の樹木固定構造が得られる。
【００３０】
（６）また、前記建物の樹木固定構造の構造設計方法の構成により、常時荷重安全性、耐風安全性、地震安全性、及び長期耐久性を確保した樹木固定構造を有する建物の構造設計を行うことができる。
【発明を実施するための最良の形態】
【００３１】
本発明に係る建物の樹木固定構造および建物の樹木固定構造の構造設計方法の実施形態について、図を用いて説明する。図１は植栽樹木を固定した建物の樹木固定構造Ｓを示す模式図である。図２は箱体１０の平面図である。図３は建物に植栽樹木を固定して根鉢６を結束する構造を示す模式図である。
【００３２】
図１に示すように、本実施形態の建物の樹木固定構造Ｓは、建物１００の屋上またはバルコニーに設けられている。樹木固定構造Ｓは、梁１、柱脚２、箱体１０、結束手段８を有している。
【００３３】
梁１は、建物１００の躯体の、床４の下に位置する梁を用いている。なお、本実施形態の躯体は柱梁を組み、床（屋根）パネル、外壁パネルで覆われる鉄骨軸組構造である。
【００３４】
柱脚２は、各梁１の上面にボルト固定して立設している。柱脚２の長さ（高さ）を変えることで樹木固定構造Ｓの高さを変えることができる。
【００３５】
図１、図２に示すように、箱体１０は、格子枠３、底面となる底板１２、周壁となる第１側板１９ａ、第２側板１９ｂにて、上端を開口した有底の箱形状に形成されている。箱体１０は、樹木５の根鉢６、結束手段８および根鉢６を埋設する土壌７などを収納する。
【００３６】
格子枠３は、柱脚２の上にボルト固定した四角形の枠部材であり、柱脚２を結ぶ４本の中空棒状の角材にて形成されている。また、格子枠３の四隅の上部には、アイボルト１６が固定されている。
【００３７】
底板１２は、樹木５と土壌７を支える強度を持つ４角形の板材であり、格子枠３内に挿入され、柱脚２の上にボルト固定している。なお、底板１２は格子枠３の上にボルト固定してもよい。
【００３８】
底板１２の上には、保水マット１１を敷設し、保水マット１１の上に樹木５の根鉢６を固定する。箱体１０の底に敷設した保水マット１１は保水機能と共に余剰水の排水機能を有し、箱体１０に充填された土壌７中の水分を適宜維持する。
【００３９】
底板１２には、通気・排水孔１３が設けられており、さらに箱体１０の下に空間９を設けている。通気・排水孔１３は、箱体１０に充填された土壌７の最下部に位置して、樹木５の根に通気し且つ余剰の潅水を排水する。
【００４０】
箱体１０の下の空間９は、通気・排水孔１３の開口部を空中に保持している。これにより、箱体１０の底が建物の床４に密着するよりも、箱体１０の底の通気・排水機能が良好に維持され、樹木５の長期的に安定な成長・繁茂が促進される。
【００４１】
第１側板１９ａは、左右の辺を直角に折り曲げた略コ字状に形成された平板である。第２側板１９ｂは、第１側板１９ａと同じ高さの平板である。第１側板１９ａと第２側板１９ｂは、下端を格子枠３にボルト固定している。
【００４２】
第１側板１９ａと第２側板１９ｂは、コーナー屈曲部でなく直線辺において突き合わせて連結されている。このように、コーナー屈曲部を避けて連結することにより、突き合わせ部の連結構造が簡単になるだけでなく、平板状の第２側板１９ｂの長さ（横幅）を長短各種取り揃えて第１側板１９ａと組合わせることにより、箱体１０の容積を増減させたり、平面形状を正方形や矩形など任意に選択できる。
【００４３】
結束手段８は、底板１２（保水マット１１）上に支承した状態で土壌７に埋設した樹木５の根鉢６を格子枠３に固定している。図３に示すように、結束手段８は、第１の結束手段８ａ、第２の結束手段８ｂを有している。
【００４４】
第１の結束手段８ａは、根鉢６に掛け渡して根鉢６を格子枠３に固定する引き上げベルト２０と、引き上げベルト２０を締めて根鉢６を格子枠３に緊結する緊結手段８ｃと、を有している。緊結手段８ｃとしてベルトウインチ１５が使われる。
【００４５】
図４はベルトウインチ１５を示す図である。図４に示すように、ベルトウインチ１５は、環状部１５ａ、回転軸１５ｂ、反転防止機構（歯車１５ｃ、ストッパ１５ｄ）を有している。環状部１５ａには、樹木５の幹に巻回する幹巻ベルト１７が通されている。回転軸１５ｂには、一端をベルトウインチ１５に固定してアイボルト１６を通した引き上げベルト２０の他端が巻きつけられている。
【００４６】
回転軸１５ｂをレンチで回転することで引き上げベルト２０を巻き取り、根鉢６を締め付ける。この時、歯車１５ｃは、バネにより歯車１５ｃ側に付勢されたストッパ１５ｄを押し上げて回転するようになっている。レンチを外した状態で、歯車１５ｃは、ストッパ１５ｄと噛み合って締め付け方向と逆方向には回転しないようになっており、根鉢６を締め付けた状態を維持できる。
【００４７】
このように、ベルトウインチ１５は、根鉢６を格子枠３に緊結することにより、樹木５の転倒を防止でき、根鉢６を含む樹木５が底板１２の支承部から飛散することを防止し得る。また、ベルトウインチ１５により引き上げベルト２０の張り具合（根鉢６の固定強度）を簡単に再調整することができる。
【００４８】
第２の結束手段８ｂは、根鉢６に掛け渡して根鉢６を格子枠３に固定する引き上げベルト２０と、緊結手段８ｃが破壊された後にも引き上げベルト２０を締めて根鉢６を格子枠３に結束する長期耐久性に優れた結束部材８ｄとしての結束金具１８と、を有している。引き上げベルト２０ａの一端は幹巻ベルト１７に結ばれており、引き上げベルト２０ｂの一端はアイボルト１６に結ばれている。
【００４９】
なお、上記ベルトは、化学繊維などの材料で所定の破断強度が確保され、建物の構成部材の耐用年数と同程度の耐久性能が確保されたものを用いる。また一般にベルトは、帯状の長尺ものであるが、本発明にいうベルトは、根鉢に掛け渡して前記根鉢を前記格子枠に固定することができればよく、帯状の長尺もの以外にも綱（ロープ）状の長尺ものなども含まれる。例えば鋼製ワイヤーなどである。この場合には、第１の結束手段の緊結手段、および第２の結束手段の結束部材は、そのような綱状の長尺ものに対応可能なものを使用する。
【００５０】
図５（ａ）、図５（ｂ）は結束金具１８の斜視図、断面図である。図５に示すように、結束金具１８は２枚の平板１８ａ、１８ｂからなり、各平板１８ａ、１８ｂには、スリット１８ａ１、１８ａ２、１８ｂ１、１８ｂ２が設けられている。
【００５１】
平板１８ａ、１８ｂを重ねた状態で、幹巻ベルト１７に結んだ引き上げベルト２０ａの先端をスリット１８ａ１、１８ｂ１を通す。そして、平板１８ｂの外側を通し、最初にスリット１８ａ１に通した方向と逆方向からスリット１８ａ１に通す。同様に、アイボルト１６に結んだ引き上げベルト２０ｂの先端をスリット１８ａ２、１８ｂ２を通して再度スリット１８ｂ１に通す。最後に引き上げベルト２０の先端を引っ張り、図５（ｂ）に示すように、引き上げベルト２０を締めて根鉢６をしっかり固定する。
【００５２】
（建物への樹木固定方法）
次に、建物への樹木固定方法について説明する。図６は建物への樹木固定方法の説明図である。図６（ａ）に示すように、まず、建物１００の床４下においてから突き出した梁１のフランジに柱脚２をボルト固定する。
【００５３】
柱脚２を設置した後、箱体１０の下の床（ベランダ・バルコニーまたは屋根面）４に防水シート4ａなどの防水部材を２重貼りの補強して、バクテリア、カビ、または苔などによる防水部材の長期的な損傷・劣化による水漏れ等を予防する。これにより、人手が入りにくい箱体１０の下の狭い空間での保守作業が回避でき、長期耐久性に優れた建物の樹木固定構造が得られる。
【００５４】
次に、図６（ｂ）に示すように、柱脚２の上に格子枠３をボルト固定し、格子枠３内に底板１２を挿入して柱脚２の上にボルト固定する。底板１２の上に保水マット１１を載置する。図６（ｃ）に示すように、格子枠３に第１側板１９ａ、第２側板１９ｂを取り付けて箱体１０を組み立て、箱体１０内の四隅にアイボルト１６を固定する。
【００５５】
第１の結束手段８ａ（引き上げベルト２０）の一端をベルトウインチ１５に固定し、引き上げベルト２０の他端をアイボルト１６を通して、回転軸１５ｂに固定する。また、第２の結束手段８ｂ（引き上げベルト２０ａ）の一端をアイボルト１６に固定し、引き上げベルト２０ａの他端を結束金具１８に取り付ける。
【００５６】
そして、根鉢６を箱体１０内に入れ、根鉢６に被せるようにして、土壌７を箱体１０内に充填する。幹巻ベルト１７を環状部１５ａを通すようにして、箱体１０に入れた樹木５の幹に巻回する。根鉢６の肩部と引き上げベルト２０との間に保護パット１４を当てて根鉢６を保護したうえでベルトウインチ１５で引き上げベルト２０を巻き上げ、根鉢６を格子枠３に緊結させて樹木５の転倒を防止する。
【００５７】
さらに、第２の結束手段８ｂ（引き上げベルト２０ｂ）の他端を幹巻ベルト１７に接続して、建物の樹木固定を完了する。
【００５８】
（耐用年数）
ベルトウインチ１５は、鉄製であり、土中における腐食を受ける状態での耐用年数は２〜５年である。
【００５９】
結束金具１８、箱体１０は、土中における腐食の経年劣化を受け難い長期耐久性に優れたステンレス等で形成されている。結束金具１８、箱体１０の土中における腐食を受ける状態での耐用年数は、約３０年である。
【００６０】
幹巻ベルト１７、引き上げベルト２０は、腐食の経年劣化を受け難い長期耐久性に優れたポリエステル等で形成されている。幹巻ベルト１７、引き上げベルト２０の土中における腐食を受ける状態での耐用年数は約３０年である。
【００６１】
樹木固定構造Ｓを形成して２〜５年経過後、ベルトウインチ１５が土壌７や土壌７中の水分の作用で腐食を受けることにより、第１の結束手段８ａの張力は徐々に低減し、長期的には根鉢６を格子枠３に緊結する機能を失う。ここで、長期耐久性の観点からは、耐用年数の長いベルトウインチ１５を有するものを使用するのが理想的であるが、ベルトウインチ１５は複雑な形状であるため、生産コスト等の観点からそのようなベルトウインチ１５は生産されていない。
【００６２】
そこで、結束金具１８には、緊結する機能がないものの、腐食や経年劣化を受け難い長期耐久性に優れた材料（例えば、ステンレス鋼）で製作したものを使用する。
【００６３】
これにより、ベルトウインチ１５が根鉢６を緊結する機能を失った場合にも、結束金具１８により根鉢６をアイボルト１６に結束しておくことができる。従って、ベルトウインチ１５により樹木５の転倒は防止できなくとも、結束金具１８により長期間（少なくとも、建物が維持管理されている期間）、樹木５が根鉢ごと建物から飛び出して、地震や台風などにあっても、建物から落下したり、近隣家屋などに飛散することを避けることができる。
【００６４】
また、根が繁茂することにより、第１の結束手段８ａの張力が徐々に低減しても、樹木５は倒れ難くなる。よって、植栽樹木の成長に伴って根鉢の固定が不十分になることを防止でき、樹木の安全な固定状態を維持していく長期耐久性を高めることができる。
【００６５】
建物の樹木固定構造の常時荷重安全性、耐風安全性、地震安全性、及び長期耐久性を確保するために、結束部材８ｄは、建物のいずれかの構成部材の耐用年数に合わせて「長期耐久性に優れた」ものを選定する。
【００６６】
すなわちここで言う、「長期耐久性に優れた」とは、結束金具の耐用年数が建物の構成部材の耐用年数と同程度か、それよりも長いことをいう。「耐用年数」とは、部材の設計や生産段階において予定された耐用年数であり、一般的には、劣化促進試験などでその寿命を予測したものである。各部材は、劣化診断の促進試験等により耐用年数を予測した部材である。
【００６７】
そして劣化診断の促進試験は、建物の基本躯体の耐候性試験、耐異物接触試験、環境負荷試験などをいう。例えば、鉄骨部材は錆びの進行を確認し、コンクリートは、鉄筋の中性化の進行状態を所定のコア抜きサンプルにより確認する。建物の外装である、外壁吹き付け材、屋根葺き材、または、防水シートについては、耐候性試験として表面変化、収縮量をメタルハライド、サンシャインウェザー、キセノンウェザーなどの試験機やアリゾナ集光機暴露などを用いて行われる。
【００６８】
なお、促進試験の他に、コンピュータシミュレーションによって部材の劣化の進行具合を予測することも可能である。
【００６９】
例えば、建物の基本躯体の構成部材である鉄骨の柱材や梁材などは、６０年の耐用年数であるものが選定されており、結束部材８ｄの耐用年数は、基本躯体の構成部材である鉄骨の柱材や梁材と同程度とするのが好ましい。
【００７０】
また、そのような長期間でなくともメンテナンスプログラムにより定期的に部材の交換や補修が計画された建物（特開２００１年１５９１９０号公報参照）であれば、建物の外装の構成部材（防水シート、吹き付け材）は、１５年、２０年、または３０年などの耐用年数の部材が選定されているので、結束部材の耐用年数を外装の構成部材と同程度として、外装と一緒に点検するのに便宜である。
【００７１】
このように、結束部材８ｄの耐用年数を建物の耐用年数以上とすることにより、少なくとも建物が使用されている間（建物が維持管理されている期間）は、地震や台風のときにも樹木５が根鉢ごと建物から飛び出して、建物から落下したり、近隣家屋などに飛散することを避けることができる。
【００７２】
（建物の樹木固定構造の構造設計方法）
次に、建物の樹木固定構造の構造設計方法について述べる。図７（ａ）〜図７（ｆ）は一般的な樹木形態を枝葉の輪郭で分類した模式図である。図８は植栽する樹木の形態の代表モデルを示す模式図である。図９は建物の樹木固定構造を構造設計をする球形モデルの模式図である。
【００７３】
樹木形態の代表的な形状は、図７（ａ）の円錐状、図７（ｂ）の逆円錐状、図７（ｃ）の円柱状、図７（ｄ）の半球状、図７（ｅ）の逆半球状、図７（ｆ）の球状などとみなすことができる。これらの中から、まず建物躯体に加わる風圧・重量などが少ない負担で広い日陰（木陰）が効率的に作られる樹木形態を検討するとき、
屋上、ベランダまたはバルコニーに植栽するのに望ましい樹木形態としては、屋上、ベランダまたはバルコニーで憩う人が樹木の下に近づいて日陰（木陰）に入りやすい樹木形態が求められる。
【００７４】
具体的には、図７（ｂ）、図７（ｄ）、図７（ｆ）に示すような枝葉の輪郭の底部が水平でないものが好ましい。従って、逆円錐状、逆半球状、球状を屋上、ベランダまたはバルコニーの植栽に適した樹木形態として選定する。
【００７５】
次に、樹木の形態の代表的な構造計算のためのモデル化について述べる。
【００７６】
樹木の形態は、図８に示すように、樹木の幹部高さＨ１が同一長さとすれば、図８（ａ）の逆円錐状も図８（ｂ）の逆半球状も実際は上部は水平であることはなく、球状に盛り上がっているので球状と考えることができる。従って、屋上、ベランダまたはバルコニーの植栽として適した樹木は球状モデルで代表的に表現できる。
【００７７】
ここでは、樹木として、図９に示すように枝葉の輪郭が球状の中木を選定した。中木の屋上等への植栽に適した寸法は、樹木の根部高さＨｐ：６００ｍｍ程度、樹木の幹部高さＨ１：１０００ｍｍ程度、枝葉の輪郭の底部高さＨｐ＋Ｈ１：１６００ｍｍ程度、必要な枝葉の輪郭の最大直径Ｄ：２０００ｍｍ程度である。枝葉の高さＨ２は、最大直径Ｄに等しいとみなして、樹木の高さＨ１＋Ｈ２は３０００ｍｍ程度である。なお、Ｈｓは、５０〜２００ｍｍ程度である。
【００７８】
中木が、柱脚２を介して建物の梁１に伝達される荷重および外力は、積載荷重Ｗ、地震力Ｑ、風圧力Ｐの３種類である。
【００７９】
積載荷重Ｗは、柱脚２、土壌７、樹木５、結束手段８、箱体１０などの合計荷重であり、鉛直方向に梁１へ伝達される。
【００８０】
地震力Ｑは、樹木５が剛体とみなされて格子枠３に緊結されていることから、格子枠３の上端で積載荷重Ｗが地震層せん断力を生む。
【００８１】
風圧力Ｐは、下記のモデルを設定して建築基準法、及び建築基準法施行令等に準拠して構造設計する。
【００８２】
速度圧ｑ（N／ｍ２）、風力係数Cf、樹木の受圧面積Ａ（ｍ２）とすると、風圧力Ｐ（Ｎ）は、次の式（１）となる
Ｐ＝ｑ・Cf・Ａ  （１）
速度圧ｑ（N／ｍ２）はｑ＝0.6EV0２（２）である。Eは速度圧の高さ方向の分布を示す係数、V0はその地方における基準風速であり、それぞれ 大臣が算出する方法及び数値を規定するものである。
【００８３】
樹木の受圧面積Ａは、樹木５は直径Dの輪郭形状が球状とみなして次の式（３）となるＡ＝π（Ｄ／２）２  （３）
【００８４】
なお、式（１）の風力係数Cfの値は、風洞実験や大臣が定める数値によって決定され、本例において、風力係数Cfの値を導き出すのに、図９に示されたHｃ（地盤面から樹木の中心までの距離）の値およびＨ２（＝Ｄ：樹木５の直径）の値が密接にかかわる係数である。すなわち、風力係数Cfの値は、HｃおよびＨ２を使用して導き出す数値である（建築基準法施行令第８７条および告示平１２年建告第１４５４号参照）。
【００８５】
このような建物の樹木固定構造の構造設計方法により、常時荷重安全性、耐風安全性、地震安全性、及び長期耐久性を確保した樹木固定構造を有する建物の構造設計を行うことができる。
【００８６】
（効果）
本実施形態によれば、植栽樹木５、土壌７、柱脚２、箱体１０などの重量物が建物１００の梁１などの骨格に固定され、且つ構造設計に反映される。そのため、載置された重量物の構造的影響が建物１００に当初から想定されて設計されるので、局部集中的な荷重を与えることによる建物骨格の変形・ひずみ、損傷等を防止できる。その結果、建物の常時荷重安全性、地震安全性を高めることができる。
【００８７】
また、結束手段８により、建物の耐風安全性を高めることができ、植栽した樹木の転倒、建物からの落下及び飛散を防止することができる。
【００８８】
また、箱体１０を設けたことにより、樹木５の根部の平面的な横広がりを箱体内に限定できるため、樹木５の根部の占有面積を小さくできる。また、時間の経過とともに樹木５が成長・繁茂すると、根が箱体内部に密生して圧密状態となり箱体１０の側板に挟持されて根鉢６が箱体内で回転したり移動することが防止され、樹木５がより転倒し難い建物の樹木固定構造が得られる。
【００８９】
（他の実施形態：箱体１０なしの構造）
なお、図１０に示すように、箱体１０（周壁となる第１側板１９ａ、第２側板１９ｂ）を省略して、格子枠３、底板１２のみ設け、保水マット１１の上に根鉢６を載せて土壌７を盛った構成としてもよい。
【産業上の利用可能性】
【００９０】
本発明の建物の樹木固定構造および建物の樹木固定構造の構造設計方法は、樹木を植栽して建物の屋上またはバルコニーを緑化する分野で好適に利用できる。
【図面の簡単な説明】
【００９１】
【図１】植栽樹木を固定した建物の樹木固定構造を示す模式図である。
【図２】箱体の平面図である。
【図３】建物に植栽樹木を固定して根鉢を結束する構造を示す模式図である。
【図４】（ａ）緊結手段の平面図である。（ｂ）緊結手段の断面図である。
【図５】（ａ）結束部材の斜視図である。（ｂ）結束部材の断面図である。
【図６】建物の樹木固定方法の説明図である。
【図７】一般的な樹木形態を枝葉の輪郭で分類した模式図である。
【図８】植栽する樹木の形態の代表モデルを示す模式図である。
【図９】建物の樹木固定構造を構造設計をする球形モデルの模式図である。
【図１０】他の実施形態に係る植栽樹木を固定した建物の樹木固定構造を示す模式図である。
【符号の説明】
【００９２】
ＧＬ  …地盤面
Ｐ    …風圧力
Ｑ    …地震力
Ｓ    …樹木固定構造
Ｗ    …積載荷重
１    …梁
２    …柱脚
３    …格子枠
４    …床（ベランダ、バルコニーまたは屋根面）
４ａ…防水シート５    …樹木
６    …根鉢
７    …土壌
８    …結束手段
８ａ  …第１の結束手段
８ｂ  …第２の結束手段
８ｃ  …緊結手段
８ｄ  …結束部材
９    …空間
１０  …箱体
１１  …保水マット
１２  …底板
１３  …通気・排水孔
１５  …ベルトウインチ
１６  …アイボルト
１７  …幹巻ベルト
１８  …結束金具
１９ａ …第１側板
１９ｂ …第２側板
２０  …引き上げベルト
１００ …建物
【図１】
2008017722.tif 000003
【図２】
2008017722.tif 000004
【図３】
2008017722.tif 000005
【図４】
2008017722.tif 000006
【図５】
2008017722.tif 000007
【図６】
2008017722.tif 000008
【図７】
2008017722.tif 000009
【図８】
2008017722.tif 000010
【図９】
2008017722.tif 000011
【図１０】
2008017722.tif 000012